(57)【要約】【課題】ＵＳＢ接続端子に外部機器が接続されたとき発生し得る過電流から回路を保護し、過電流の発生原因が無くなった場合に即座に回路を通常状態に復帰させる。【解決手段】電源から第一の抵抗および第一のスイッチを介してＵＳＢ接続端子へ電流を供給可能な第一の供給経路と、電源から第一の抵抗よりも抵抗値が大きい第二の抵抗および第二のスイッチを介してＵＳＢ接続端子へ電流を供給可能な第二の供給経路とを備え、制御部は、電源から第一の抵抗を介してＵＳＢ接続端子へ供給される電流を監視し、過電流である場合には第一のスイッチをオフ状態とするとともに第二のスイッチをオン状態とし、電源から第二の抵抗を介してＵＳＢ接続端子へ供給される電流を監視し、過電流が解消された場合には第二のスイッチをオフ状態とするとともに第一のスイッチをオン状態とする。【選択図】図２
2012003631.tif 000002
【特許請求の範囲】
【請求項１】
電源からＵＳＢ接続端子へ供給される電流が所定の過電流である場合にＵＳＢ接続端子への電流供給を遮断する処理を実行可能な制御部を備える保護回路であって、
上記電源から第一の抵抗および第一のスイッチを介してＵＳＢ接続端子へ電流を供給可能な第一の供給経路と、
上記電源から上記第一の抵抗よりも抵抗値が大きい第二の抵抗および第二のスイッチを介してＵＳＢ接続端子へ電流を供給可能な第二の供給経路とを備え、
上記制御部は、
電源から第一の抵抗を介してＵＳＢ接続端子へ供給される電流を監視し、所定の過電流である場合には、第一のスイッチをオフ状態とすることにより第一の供給経路によるＵＳＢ接続端子への電流供給を遮断するとともに第二のスイッチをオン状態とすることにより第二の供給経路によるＵＳＢ接続端子への電流供給を開始し、
電源から第二の抵抗を介してＵＳＢ接続端子へ供給される電流を監視し、所定の過電流が解消された場合には、第二のスイッチをオフ状態とすることにより第二の供給経路によるＵＳＢ接続端子への電流供給を遮断するとともに第一のスイッチをオン状態とすることを特徴とする保護回路。
【請求項２】
上記制御部が上記所定の過電流であると判定した場合に過電流状態である旨を外部に通知し、上記制御部が上記所定の過電流が解消されたと判定した場合に過電流状態が解消された旨を外部に通知する通知手段を備えることを特徴とする請求項１に記載の保護回路。
【請求項３】
電源からＵＳＢ接続端子へ供給される電流が所定の過電流である場合にＵＳＢ接続端子への電流供給を遮断する処理を実行可能なマイクロコンピュータを備える保護回路を含む表示装置であって、
上記保護回路は、
上記電源から第一の抵抗および第一のＦＥＴを介してＵＳＢ接続端子へ電流を供給可能な第一の供給経路と、
上記電源から上記第一の抵抗よりも抵抗値が大きい第二の抵抗および第二のＦＥＴを介してＵＳＢ接続端子へ電流を供給可能な第二の供給経路とを備え、
上記マイクロコンピュータは、
電源から第一の抵抗を介してＵＳＢ接続端子へ供給される電流を監視し、所定の過電流である場合には、第一のＦＥＴをオフ状態とすることにより第一の供給経路によるＵＳＢ接続端子への電流供給を遮断するとともに第二のＦＥＴをオン状態とすることにより第二の供給経路によるＵＳＢ接続端子への電流供給を開始し、
電源から第二の抵抗を介してＵＳＢ接続端子へ供給される電流を監視し、所定の過電流が解消された場合には、第二のＦＥＴをオフ状態とすることにより第二の供給経路によるＵＳＢ接続端子への電流供給を遮断するとともに第一のＦＥＴをオン状態とし、
かつ、上記マイクロコンピュータが上記所定の過電流であると判定した場合に過電流状態である旨を所定の画面にＯＳＤ表示させ、上記マイクロコンピュータが上記所定の過電流が解消されたと判定した場合に過電流状態が解消された旨を当該所定の画面にＯＳＤ表示させるＯＳＤ表示手段を備えることを特徴とする表示装置。
【発明の詳細な説明】
【技術分野】
【０００１】
本発明は、保護回路および表示装置に関する。
【背景技術】
【０００２】
図４は、従来の保護回路１００を示している。保護回路１００は、ＵＳＢ（Universal Serial Bus）メモリなどのＵＳＢデバイス２００を外部から接続するためのＵＳＢ接続端子１０１を備えた電子機器（例えばデジタルテレビジョン）に搭載された回路である。保護回路１００においては通常、５Ｖの電源１０２から、所定の抵抗値を有する抵抗Ｒおよびスイッチ素子としてのＦＥＴ（Field Effect Transistor：電界効果トランジスタ）１０３を介してＵＳＢ接続端子１０１へ電源供給可能な構成となっており、ＵＳＢ接続端子１０１にユーザがＵＳＢデバイス２００を接続させた場合に、ＵＳＢデバイス２００に電流が流れる。図４に示すように、マイクロコンピュータ１０４は、所定の入力ポート１０４ａにて、抵抗Ｒを介してＵＳＢ接続端子１０１へ供給される電流を入力し、その電流値を監視している。
【０００３】
ユーザが、ＵＳＢ接続端子１０１にＵＳＢデバイス２００として、例えば内部がショートしたＵＳＢメモリや、ＵＳＢ接続端子１０１に接続されることが本来想定されているデバイスよりも消費電力の大きなデバイス（例えば、ハードディスクドライブ）等を接続してしまった場合、ＵＳＢ接続端子１０１に対して過剰に大きな電流（過電流）が流れ込む。そこで、マイクロコンピュータ１０４は、上記監視する電流値が所定の基準を超えた場合、過電流であると判定して制御ポート１０４ｂから制御信号をＦＥＴ１０３に対し出力し、ＦＥＴ１０３をオフ状態とし、過電流が流れることを禁止していた。
【０００４】
また、過電流防止という観点で、ＵＳＢポートに供給される電圧／電流を検出する手段と、検出された電圧／電流が過電圧／過電流のとき、ＵＳＢポートから内部回路への電源への供給を切断するスイッチ手段とを有する保護回路（特許文献１参照。）や、マイクロプロセッサが、ＨＤＭＩ用電源の出力ラインの電圧を分圧した分圧電位が設定電位よりも低いことを検知した場合、出力ラインを遮断し、外部機器への電源電圧供給を断つ電源制御装置が知られている（特許文献２参照。）。
【先行技術文献】
【特許文献】
【０００５】
【特許文献１】特開２００８‐９８９８号公報
【特許文献２】特開２００８‐３０５３１４号公報
【発明の概要】
【発明が解決しようとする課題】
【０００６】
上述したような保護回路１００では、上記のようにＦＥＴ１０３を一度オフさせたあと、一定時間経過後にＦＥＴ１０３を再度オン状態とし、回路の電流供給機能を復帰させる。しかし、保護回路１００においては、負荷となるＵＳＢデバイス２００がＵＳＢ接続端子１０１から外されたか否かを検知できない。そのため、ＦＥＴ１０３を再度オン状態としたときに、ＵＳＢデバイス２００が未だＵＳＢ接続端子１０１に接続されたままであると、再び過電流状態となり、ＵＳＢデバイス２００がユーザによって外されない限りＦＥＴ１０３がオンとオフを繰り返してしまうことがある。かかる状態では、過電流から回路を適切に保護しているとは言えない。
【０００７】
本発明は上記課題を解決するためになされたものであり、ＵＳＢ接続端子に外部機器が接続されたときに発生し得る過電流から回路を的確に保護し、かつ、過電流の発生原因が無くなった場合に即座に回路を通常状態に復帰させることが可能な保護回路および表示装置を提供する。
【課題を解決するための手段】
【０００８】
本発明の態様の一つは、電源からＵＳＢ接続端子へ供給される電流が所定の過電流である場合にＵＳＢ接続端子への電流供給を遮断する処理を実行可能な制御部を備える保護回路であって、上記電源から第一の抵抗および第一のスイッチを介してＵＳＢ接続端子へ電流を供給可能な第一の供給経路と、上記電源から上記第一の抵抗よりも抵抗値が大きい第二の抵抗および第二のスイッチを介してＵＳＢ接続端子へ電流を供給可能な第二の供給経路とを備え、上記制御部は、電源から第一の抵抗を介してＵＳＢ接続端子へ供給される電流を監視し、所定の過電流である場合には、第一のスイッチをオフ状態とすることにより第一の供給経路によるＵＳＢ接続端子への電流供給を遮断するとともに第二のスイッチをオン状態とすることにより第二の供給経路によるＵＳＢ接続端子への電流供給を開始し、電源から第二の抵抗を介してＵＳＢ接続端子へ供給される電流を監視し、所定の過電流が解消された場合には、第二のスイッチをオフ状態とすることにより第二の供給経路によるＵＳＢ接続端子への電流供給を遮断するとともに第一のスイッチをオン状態とする構成としてある。
【０００９】
上記構成によれば、制御部は、通常状態（第一の供給経路にてＵＳＢ接続端子へ電流を供給可能な状態）において、電源から第一の抵抗を介してＵＳＢ接続端子へ供給される電流を監視し、過電流を検知した場合に、第一のスイッチをオフにするとともに第二のスイッチをオンにする。そのため、過電流がＵＳＢ接続端子からＵＳＢデバイスに流れることが防止されるとともに、第二の抵抗（第一の抵抗よりも高抵抗）を通ることで値が低下した電流（過電流ではない）がＵＳＢ接続端子からＵＳＢデバイスに流れる。また制御部は、電源から第二の抵抗を介してＵＳＢ接続端子へ供給される電流を監視し、過電流の発生原因であったＵＳＢデバイスがＵＳＢ接続端子から外されて過電流状態が解かれたことを検知した場合は、第二のスイッチをオフにするとともに第一のスイッチをオンにするため、回路を上記通常状態に復帰させることができる。
【図面の簡単な説明】
【００１０】
【図１】表示装置の概略構成を示す図である。
【図２】保護回路の構成を示す図である。
【図３】電流供給の制御処理を示すフローチャートである。
【図４】従来の保護回路の構成を示す図である。
【発明を実施するための形態】
【００１１】
本発明にかかる保護回路は、ＵＳＢ接続端子を備える電子機器であれば、あらゆる装置に搭載可能である。
本発明の実施形態として、例えば、上記制御部が上記所定の過電流であると判定した場合に過電流状態である旨を外部に通知し、上記制御部が上記所定の過電流が解消されたと判定した場合に過電流状態が解消された旨を外部に通知する通知手段をさらに備える構成を採用することができる。
また、本発明の実施形態として、例えば、電源からＵＳＢ接続端子へ供給される電流が所定の過電流である場合にＵＳＢ接続端子への電流供給を遮断する処理を実行可能なマイクロコンピュータを備える保護回路を含む表示装置であって、上記保護回路は、上記電源から第一の抵抗および第一のＦＥＴを介してＵＳＢ接続端子へ電流を供給可能な第一の供給経路と、上記電源から上記第一の抵抗よりも抵抗値が大きい第二の抵抗および第二のＦＥＴを介してＵＳＢ接続端子へ電流を供給可能な第二の供給経路とを備え、上記マイクロコンピュータは、電源から第一の抵抗を介してＵＳＢ接続端子へ供給される電流を監視し、所定の過電流である場合には、第一のＦＥＴをオフ状態とすることにより第一の供給経路によるＵＳＢ接続端子への電流供給を遮断するとともに第二のＦＥＴをオン状態とすることにより第二の供給経路によるＵＳＢ接続端子への電流供給を開始し、電源から第二の抵抗を介してＵＳＢ接続端子へ供給される電流を監視し、所定の過電流が解消された場合には、第二のＦＥＴをオフ状態とすることにより第二の供給経路によるＵＳＢ接続端子への電流供給を遮断するとともに第一のＦＥＴをオン状態とし、かつ、上記マイクロコンピュータが上記所定の過電流であると判定した場合に過電流状態である旨を所定の画面にＯＳＤ表示させ、上記マイクロコンピュータが上記所定の過電流が解消されたと判定した場合に過電流状態が解消された旨を当該所定の画面にＯＳＤ表示させるＯＳＤ表示手段を備える構成を採用することができる。
【００１２】
以下、図面を参照しながら本発明の実施形態を説明する。
図１は、保護回路１１を搭載した表示装置１０の概略構成を示している。表示装置１０は、例えばテレビジョンである。表示装置１０は、保護回路１１の他、メイン制御部１２、チューナ回路１３、映像処理回路１４、パネル駆動回路１５、液晶パネル１６、電源回路１７などを備える。また、表示装置１０は、外部のＵＳＢデバイス２０を接続するためのＵＳＢ接続端子１１ａを筺体表面に備える。本実施形態では、ＵＳＢデバイス２０としては消費電力が比較的小さなＵＳＢメモリ等を想定しており、かかるＵＳＢメモリは、表示装置１０が搭載するファームウェアのアップデート等を目的として、ユーザにより接続される。
【００１３】
メイン制御部１２はマイクロコンピュータであり、表示装置１０を構成する各部とバスを介して接続し、ＣＰＵ１２ａが、ＲＡＭ１２ｃをワークエリアとしつつＲＯＭ１２ｂに記憶されたプログラムに従った処理を実行し、表示装置１０全体を制御する。チューナ回路１３は、メイン制御部１２による制御によりアンテナを介して放送信号を受信し、映像処理回路１４は、放送信号からの映像の復調、画質調整、スケーリング処理などを行なって１画面分の映像信号を生成し不図示のフレームメモリに格納する。パネル駆動回路１５は、フレームメモリに格納された映像信号に基づいて液晶パネル１６を駆動させ、映像信号に基づく映像を液晶パネル１６に表示させる。電源回路１７は、メイン制御部１２による制御の下で、表示装置１０の各部に対し必要な電源電圧を供給する。電源電圧の一部は、保護回路１１にも供給される。
【００１４】
メイン制御部１２は、ＯＳＤ（On Screen Display）部１２ｄを有している。ＯＳＤ部１２ｄは、文字やキャラクタなどの静止画像を生成し、液晶パネル１６の画面に表示することが可能である。ＯＳＤ部１２ｄは、ＯＳＤ表示を行うための画像データを生成し、フレームメモリに記録された映像信号に重畳した上でパネル駆動回路１５に出力することができる。むろん表示装置１０は、図１に示す構成以外にも、音声処理回路や、スピーカや、液晶パネルのバックライト等、テレビジョンとして機能するために必要とされる公知の各種構成を備えることが可能である。また、映像表示のためのパネルは、液晶パネルである必要はなく、プラズマディスプレイパネルであってもよいし、その他あらゆる表示パネルを採用可能である。また本発明にかかる表示装置は、画像表示機能を備えるものであればよく、必ずしもテレビジョンである必要はない。
【００１５】
図２は、保護回路１１の回路構成を示している。保護回路１１では、５Ｖの電源１１ｂから２つの供給経路にてＵＳＢ接続端子１１ａへ電流供給可能な構成となっている。第一の供給経路は、電源１１ｂから抵抗Ｒ１（第一の抵抗）およびＦＥＴ１１ｃ（第一のスイッチ）を介してＵＳＢ接続端子１１ａへつながる経路であり、第二の供給経路は、電源１１ｂから抵抗Ｒ２（第二の抵抗）およびＦＥＴ１１ｄ（第二のスイッチ）を介してＵＳＢ接続端子１１ａへつながる経路である。抵抗Ｒ１の抵抗値は、従来の保護回路１００（図４）に示した抵抗Ｒと同じである。抵抗Ｒ２の抵抗値は、抵抗Ｒ１の抵抗値よりも高い。従って、第一の供給経路を通ってＵＳＢ接続端子１１ａに流れる電流よりも、第二の供給経路を通ってＵＳＢ接続端子１１ａに流れる電流の方が値は小さくなる。
【００１６】
保護回路１１においては、構成の一部として制御部１１ｅが配設されている。制御部１１ｅもメイン制御部１２と同様にマイクロコンピュータであり、後述する電流供給の制御処理を実行する。制御部１１ｅとメイン制御部１２とは互いに通信可能に接続されている。ただし、必ずしもメイン制御部１２と制御部１１ｅとを別々に構成する必要は無く、一つのマイクロコンピュータがメイン制御部１２および制御部１１ｅの役割、機能を実現するとしてもよい。本実施形態では、制御部１１ｅとメイン制御部１２とが分かれている構成を例に説明を続ける。
【００１７】
制御部１１ｅは、電源１１ｂから抵抗Ｒ１を通ってＵＳＢ接続端子１１ａへ供給される電流（抵抗Ｒ１を通過した後の電流）を、入力ポート１１ｅ１にて入力し、Ａ／Ｄ変換した上でその電流値を監視する。同様に、制御部１１ｅは、電源１１ｂから抵抗Ｒ２を通ってＵＳＢ接続端子１１ａへ供給される電流（抵抗Ｒ２を通過した後の電流）を、入力ポート１１ｅ２にて入力し、Ａ／Ｄ変換した上でその電流値を監視する。また、制御部１１ｅは、制御ポート１１ｅ３からＦＥＴ１１ｃに対して出力する制御電圧によりＦＥＴ１１ｃのゲート電圧を制御することで、ＦＥＴ１１ｃのソース‐ドレイン間に電流が流れる状態（ＦＥＴ１１ｃがオン状態）と流れない状態（ＦＥＴ１１ｃがオフ状態）とを切り換え可能である。同様に、制御部１１ｅは、制御ポート１１ｅ４からＦＥＴ１１ｄに対して出力する制御電圧によりＦＥＴ１１ｄのゲート電圧を制御することで、ＦＥＴ１１ｄのソース‐ドレイン間に電流が流れる状態（ＦＥＴ１１ｄがオン状態）と流れない状態（ＦＥＴ１１ｄがオフ状態）とを切り換え可能である。
【００１８】
図３は、制御部１１ｅが実行する電流供給の制御処理をフローチャートにより示している。保護回路１１の通常状態（ＦＥＴ１１ｃがオンでありＦＥＴ１１ｄがオフである状態）において、制御部１１ｅは入力ポート１１ｅ１を介して入力される電流を監視し、過電流状態であるか否か判定する（ステップＳ１００）。過電流状態であるか否かは、監視対象の電流値が予め定めた基準値を超えたか否かで判定する。ＵＳＢ接続端子１１ａにＵＳＢデバイス２０が接続されていない場合や、ファームウェアのアップデート用に正常に機能するＵＳＢメモリがＵＳＢデバイス２０として接続されている場合には、過電流状態には陥らず、ステップＳ１００では“Ｎｏ”の判定を行うことになる。ステップＳ１００で“Ｎｏ”と判定した場合は、繰り返しステップＳ１００の判定を行う（入力ポート１１ｅ１を介して入力される電流の監視を継続する）。
【００１９】
一方、ＵＳＢ接続端子１１ａにＵＳＢデバイス２０として、例えば内部がショートしたＵＳＢメモリや、接続されることが本来想定されていない消費電力の大きなデバイス（例えば、ハードディスクドライブ）等が接続されている場合には、第一の供給経路によりＵＳＢ接続端子１１ａに過電流が流れ込み易く、ステップＳ１００で過電流状態と判定され易い。制御部１１ｅは、ステップＳ１００で過電流状態であると判定した場合（ステップＳ１００において“Ｙｅｓ”）は、ステップＳ１１０に進む。
【００２０】
ステップＳ１１０では、制御部１１ｅは、制御ポート１１ｅ３を介してＦＥＴ１１ｃをオフ状態に切り換えるとともに、制御ポート１１ｅ４を介してＦＥＴ１１ｄをオン状態に切り換える。また、このとき同時にメイン制御部１２に対し過電流状態である旨を通知する。ステップＳ１１０の結果、第一の供給経路を介したＵＳＢ接続端子１１ａへの電流供給は遮断され、一方、第二の供給経路を介してＵＳＢ接続端子１１ａに電流供給されることとなる。つまり、第二の供給経路における抵抗Ｒ２を通ることで、抵抗Ｒ１を通った場合よりも値が低下した電流（過電流ではない）がＵＳＢ接続端子１１ａへ流れる状態となるため、仮に、ＵＳＢ接続端子１１ａに上述したような過電流を引き起こすＵＳＢデバイスが接続されたままであっても、過電流状態とはならず、回路等の破壊が防止される。
【００２１】
ステップＳ１２０では、ＦＥＴ１１ｃがオフでありＦＥＴ１１ｄがオンである状態において、制御部１１ｅは、入力ポート１１ｅ２を介して入力される電流を監視し、過電流状態が解消されたか否か判定する。ＵＳＢ接続端子１１ａからＵＳＢデバイス２０が外された場合には、入力ポート１１ｅ２を介して監視する電流値が変化するため、このような所定の変化を検知した場合に、制御部１１ｅは過電流状態が解消されたと判定し（ステップＳ１２０において“Ｙｅｓ”）、ステップＳ１３０に進む。つまりステップＳ１２０では、過電流を引き起こす原因となっているＵＳＢデバイスを、ユーザがＵＳＢ接続端子１１ａから外したか否かを検知している。ステップＳ１２０で“Ｎｏ”と判定した場合は、繰り返しステップＳ１２０の判定を行う。
【００２２】
ステップＳ１３０では、制御部１１ｅは、制御ポート１１ｅ４を介してＦＥＴ１１ｄをオフ状態に切り換えるとともに、制御ポート１１ｅ３を介してＦＥＴ１１ｃをオン状態に切り換える。また、このとき同時にメイン制御部１２に対し過電流状態が解消された旨を通知する。ステップＳ１３０の結果、第二の供給経路を介したＵＳＢ接続端子１１ａへの電流供給は遮断され、上記通常状態に復帰する（ステップＳ１００へ戻る）。
【００２３】
図２では、ＵＳＢ接続端子１１ａ側（ＵＳＢデバイス２０側）への電流供給およびその制御に関わる信号線を図示しているが、むろん、上述したファームウェアのアップデート等のためのデータ通信に用いられる信号線もＵＳＢ接続端子１１ａと、制御部１１ｅやメイン制御部１２との間に存在する。
【００２４】
ステップＳ１１０で過電流状態である旨の通知を受けたメイン制御部１２は、ＯＳＤ部１２ｄに指令を出すことにより、ＯＳＤ部１２ｄに、ＵＳＢ接続端子１１ａにおいて過電流状態である旨のメッセージを液晶パネル１６の画面にＯＳＤ表示する処理をさせる。この結果、画面に当該メッセージが表示され、当該メッセージを見たユーザは過電流状態であることを認知し、そのときＵＳＢ接続端子１１ａに接続しているＵＳＢデバイス２０を抜くことができる。また、ステップＳ１３０で過電流状態が解消された旨の通知を受けたメイン制御部１２は、ＯＳＤ部１２ｄに指令を出すことにより、ＯＳＤ部１２ｄに、過電流状態が解消された旨のメッセージを液晶パネル１６の画面にＯＳＤ表示する処理をさせる。この結果、画面に当該メッセージが表示され、当該メッセージを見たユーザは過電流状態が解消されたことを認知する。制御部１１ｅやメイン制御部１２（特に、ＯＳＤ部１２ｄ）等は、本発明の通知手段、ＯＳＤ表示手段に該当する。
【００２５】
このように本実施形態によれば、保護回路１１において、ＵＳＢ接続端子１１ａへの本来の電流供給経路である、電源１１ｂから所定の抵抗Ｒ１を通ってＵＳＢ接続端子１１ａへ繋がる第一の供給経路の他に、電源１１ｂから抵抗Ｒ１よりも高抵抗である抵抗Ｒ２を通ってＵＳＢ接続端子１１ａへ繋がる第二の供給経路を設け、第一・第二の供給経路それぞれの途中にスイッチを設け、各スイッチをオン・オフすることにより第一・第二の供給経路それぞれにおいて電流の供給、遮断を可能とした。そして、上記通常状態において第一の供給経路の電流値を監視し、過電流である場合には、第一の供給経路による電流供給を遮断することでＵＳＢ接続端子１１ａに流れ込む過電流による回路の負荷、破壊を的確に緩和、防止すると同時に、第二の供給経路による電流供給を許容するとした。そして、第二の供給経路の電流値を監視することで、過電流の発生原因であったＵＳＢデバイスがＵＳＢ接続端子１１ａから外されたことを検知すると即座に上記通常状態に復帰させる。したがって、従来のようにユーザが過電流の発生原因であったＵＳＢデバイスをＵＳＢ接続端子から外したか否かが装置側では判らないためにこのようなＵＳＢデバイスをユーザが外すまでは電流供給ラインの遮断と復帰とが繰り返されてしまう、という事態が回避できる。
【符号の説明】
【００２６】
１０…表示装置、１１…保護回路、１１ａ…ＵＳＢ接続端子、１１ｂ…電源、１１ｃ，１１ｄ…ＦＥＴ、１１ｅ…制御部、１２ｄ…ＯＳＤ部、１６…液晶パネル、２０…ＵＳＢデバイス
【図１】
2012003631.tif 000003
【図２】
2012003631.tif 000004
【図３】
2012003631.tif 000005
【図４】
2012003631.tif 000006